(57)【要約】【課題】適正な露光量で露光することができるプリンタ装置を提供することを目的とする。【解決手段】記録ヘッド近傍に設けられた温度センサによって温度を検出し、検出結果が常温より高温の場合（Ｓ６０）には、液晶シャッタの応答速度とＬＥＤ光量の関係から適切な記録ヘッドを算出して、記録ヘッドの移動速度を制御する（Ｓ６２）。また、温度センサによる検出結果が常温より低温の場合（Ｓ６４）には、液晶シャッタの応答速度とＬＥＤ光量の関係から適切な露光量を算出して、ＬＥＤの発光量を制御する（Ｓ６６）。すなわち、記録ヘッドの近傍の温度を温度センサによって検出した検出結果が常温より高温の場合には、記録ヘッド７０の移動速度を速くし、検出結果が常温より低温の場合には、ＬＥＤの発光光量を増加させる。【選択図】        図１０
2004181930.tif 000002
【特許請求の範囲】
【請求項１】
感光材料に光を照射する光源と、前記光源と感光材料間に設けられ、画像を表す画像データに基づいて前記感光材料に対する光の照射を制御するシャッタと、を有する記録ヘッドと、
前記記録ヘッドと感光材料とを相対的に移動する移動手段と、
前記シャッタの温度を検出する検出手段と、
前記検出手段の検出結果に基づいて、前記光源より照射される光量及び前記移動手段による移動量の少なくとも一方を制御する制御手段と、
を備えたプリンタ装置。
【請求項２】
感光材料に光を照射する光源と、前記光源と感光材料間に設けられ、画像を表す画像データに基づいて前記感光材料に対する光の照射を制御するシャッタと、を有する記録ヘッドと、
前記記録ヘッドと感光材料とを相対的に移動する移動手段と、
前記記録ヘッド周辺の温度を検出する検出手段と、
前記検出手段の検出結果に基づいて、前記光源より照射される光量及び前記移動手段による移動量の少なくとも一方を制御する制御手段と、
を備えたプリンタ装置。
【請求項３】
前記制御手段は、前記検出手段の検出結果が所定の範囲より小さい場合に、前記光源より照射される光量を制御し、前記検出手段の検出結果が所定の範囲より大きい場合に、前記移動手段による移動量を制御することを特徴とする請求項１又は請求項２に記載のプリンタ装置。
【請求項４】
前記制御手段は、温度に応じた前記シャッタの応答速度と前記光源より照射される光量の関係に基づいて前記光量及び前記移動量の少なくとも一方を制御することを特徴とする請求項１乃至請求項３の何れか１項に記載のプリンタ装置。
【請求項５】
前記検出手段は、前記シャッタの温度を直接検出することを特徴とする請求項１に記載のプリンタ装置。
【請求項６】
前記検出手段は、前記シャッタの温度を間接的に検出することを特徴とする請求項１に記載のプリンタ装置。
【請求項７】
前記検出手段は、前記シャッタ周辺の温度を検出することを特徴とする請求項６に記載のプリンタ装置。
【請求項８】
前記検出手段は、前記記録ヘッドの温度を検出することを特徴とする請求項６に記載のプリンタ装置。
【請求項９】
前記検出手段は、プリンタ装置内部の温度を検出することを特徴とする請求項６に記載のプリンタ装置。
【請求項１０】
照射対象に光を照射する光源と、前記光源と前記照射対象間に設けられ、画像を表す画像データに基づいて前記照射対象に対する光の照射を制御するシャッタと、を有する記録ヘッドと、
前記シャッタの温度及び前記記録ヘッド周辺の温度のうちの少なくとも１つを検出する検出手段と、
前記検出手段の検出結果に基づいて、前記照射対象に照射される光量を制御する制御手段と、
を備えたプリンタ装置。
【請求項１１】
前記検出部は、前記シャッタの温度を直接的に検出することを特徴とする請求項１０に記載のプリンタ装置。
【請求項１２】
前記検出部は、前記シャッタの温度を間接的に検出することを特徴とする請求項１０に記載のプリンタ装置。
【請求項１３】
前記検出部は、前記シャッタ周辺の温度を検出することを特徴とする請求項１２に記載のプリンタ装置。
【請求項１４】
前記シャッタは、液晶シャッタであることを特徴とする請求項１０乃至請求項１３の何れか一項に記載のプリンタ装置。
【発明の詳細な説明】
【０００１】
【発明の属する技術分野】
本発明は、プリンタ装置にかかり、特に、デジタルカメラに設けられ、当該デジタルカメラで撮影された画像を印画紙等の感光材料にプリントするプリンタ装置に関する。
【０００２】
【従来の技術】
プリンタ装置には、例えば、感熱式の記録ヘッドを用いて、感熱材料に画像を記録するプリンタ装置や、光を照射する記録ヘッドを用いて、光露光によって感光材料に画像を記録するプリンタ装置等が採用されている。
【０００３】
感熱式のプリンタ装置としては、例えば、特許文献１に記載の技術が提案されている。特許文献１に記載の技術では、サーミスタによって感熱ヘッドの温度を検出して、検出された温度に基づいて感熱ヘッドの温度制御を行って、感熱ヘッドを走査して感光材料に画像を記録しており、サーミスタによる温度検出に基づいて感熱ヘッドの温度制御を行うことによって、適正な温度で感光材料を走査することができる。
【０００４】
また、光露光式のプリンタ装置としては、例えば、特許文献２に記載の技術が提案されている。特許文献２に記載の技術では、ＬＥＤより照射される光を液晶シャッタを介して感光性記録媒体に照射し、液晶シャッタによって露光／非露光を制御して画像を記録している。
【０００５】
また、特許文献３に記載の技術では、記録媒体上に画像を形成する記録手段と、記録媒体を収納したカセットと、カセットから記録媒体を一枚ずつ取り出す給紙手段と、その記録媒体を搬送する搬送手段と、を備え、プリント動作時に、記録手段及び搬送手段と記録媒体の相対位置が記録媒体の搬送方向に変位するように構成したプリンタ装置が提案されている。このプリンタ装置では、記録手段及び搬送手段と記録媒体の相対位置の変位によって走査がなされて画像が記録媒体上に記録される。
【０００６】
一方、デジタルカメラで撮影された画像を印画紙等の感光材料にプリントするプリンタ装置としては、特許文献４に、プリンタ付き電子カメラが提案されている。
【０００７】
【特許文献１】
特開平５−２６８４３６号公報（第３頁、第１図）
【特許文献２】
特開２０００−２８０５２７号公報（第１頁、第１図）
【特許文献３】
特開２００１−６３１７６号公報（第１頁、第１図）
【特許文献４】
特開平１１−２１５４５６号公報（第４頁、第１図）
【０００８】
【発明が解決しようとする課題】
しかしながら、感熱式の記録ヘッドでは、温度を検知できたとしても、余熱や感光材料等のメディアとのバランスなどを考慮すると、ヘッド温度コントロールし、印画速度向上のためのヘッド移動速度制御が難しい。
【０００９】
また、特許文献２に記載の技術のように、光露光式の記録ヘッドで、液晶シャッタを用いて露光／非露光を制御するものでは、雰囲気温度によって液晶シャッタの応答速度が変化してしまい、適正な露光量を得ることができない、という問題がある。
【００１０】
本発明は、上記事実を考慮して、適正な露光量で露光することができるプリンタ装置を提供することを目的とする。
【００１１】
【課題を解決するための手段】
上記目的を達成するために請求項１に記載の発明は、感光材料に光を照射する光源と、前記光源と感光材料間に設けられ、画像を表す画像データに基づいて前記感光材料に対する光の照射を制御するシャッタと、を有する記録ヘッドと、前記記録ヘッドと感光材料とを相対的に移動する移動手段と、前記シャッタの温度を検出する検出手段と、前記検出手段の検出結果に基づいて、前記光源より照射される光量及び前記移動手段による移動量の少なくとも一方を制御する制御手段と、を備えることを特徴としている。
【００１２】
また、請求項２に記載の発明は、感光材料に光を照射する光源と、前記光源と感光材料間に設けられ、画像を表す画像データに基づいて前記感光材料に対する光の照射を制御するシャッタと、を有する記録ヘッドと、前記記録ヘッドと感光材料とを相対的に移動する移動手段と、前記記録ヘッド周辺の温度を検出する検出手段と、前記検出手段の検出結果に基づいて、前記光源より照射される光量及び前記移動手段による移動量の少なくとも一方を制御する制御手段と、を備えることを特徴としている。
【００１３】
請求項１及び請求項２に記載の発明によれば、光源より照射される光は、シャッタを介して感光材料に照射される。この時、画像を表す画像データに応じてシャッタを制御することによって画像に応じた露光を行うことができ、感光材料に画像を形成することが可能となる。
【００１４】
また、移動手段は、記録ヘッドと感光材料とを相対的に移動する。すなわち、移動手段による移動によって感光材料に画像を走査露光することができる。例えば、移動手段は、記録ヘッドを感光材料に対して移動してもよいし、感光材料を移動ヘッドに対して移動してもよい。
【００１５】
例えば、露光に必要な所定光量となるように光源を発光するように制御し、画像を表す画像データに応じてシャッタを制御し、記録ヘッドと感光材料との相対的移動量を制御することによって、感光材料上に画像を適正露光量で露光することができる。
【００１６】
ところで、シャッタは、上述したように、雰囲気温度によってシャッタの応答速度が変化してしまい、適正な露光量を得ることができなくなってしまう。
【００１７】
そこで、請求項１に記載の発明では、検出手段によってシャッタの温度を検出し、検出結果に基づいて、光源より照射される光の光量及び移動手段による記録ヘッドと感光材料との相対的な移動料の少なくとも一方を制御手段によって制御し、請求項２に記載の発明では、検出手段によって記録ヘッド周辺の温度を検出し、検出手段の検出結果に基づいて、光源より照射される光の光量及び移動手段による記録ヘッドと感光材料との相対的な移動量の少なくとも一方を制御手段によって制御している。すなわち、請求項１及び請求項２に記載の発明では、温度によって変化するシャッタの応答速度による露光量変化を、光源より照射される光の光量及び記録ヘッドと感光材料との相対的移動の少なくとも一方によって補正することができるので、これによって適正な露光量で露光することができる。
【００１８】
例えば、請求項３に記載の発明のように、制御手段が、検出手段の検出結果が所定の範囲より小さい場合（例えば常温より低い温度の場合）には、シャッタの応答速度が遅く、光量不足となるので、光源より射出される光量が多くなるように制御することによって、露光速度（移動手段の移動速度）を下げることなく、適正な露光を行うことができる。また、検出手段の検出結果が所定の範囲より大きい場合（例えば常温より高い場合）には、シャッタの応答速度が速く、光量が多くなるので、移動手段の移動速度を速く制御することにより、露光速度を向上させることができると共に適正な露光を行うことができる。
【００１９】
なお、制御手段による制御は、請求項４に記載の発明のように、温度に応じたシャッタの応答速度と光源より照射される光量の関係から、検出手段による検出結果を用いて、露光に必要な光量及び露光に必要な光量での移動手段の移動量を算出することができるので、前記関係に基づいて、光源より射出される光量及び移動手段による移動量の少なくとも一方を制御するようにしてもよい。
【００２０】
また、請求項１に記載の発明は、請求項５に記載の発明のように、検出手段は、シャッタの温度を直接検出するようにしてもよいし、請求項６に記載の発明のように、シャッタの温度を間接的に検出するようにしてもよい。間接的にシャッタの温度を検出する場合には、請求項７に記載の発明のように、シャッタの周辺の温度を検出するようにしてもよいし、請求項８に記載の発明のように、記録ヘッドの温度を検出するようにしてもよいし、さらには、請求項９に記載の発明のように、プリンタ装置内部の温度を検出するようにしてもよい。
【００２１】
また、本発明のプリンタ装置は、カメラに適用した発明としてもよい。すなわち、固体撮像素子を備え、該固体撮像素子上に被写体を結像させて画像データを得る電子撮影部を備え、前記電子撮影部によって得られる前記画像データに基づいて感光材料上に画像を記録するカメラにおいて、請求項１乃至請求項９の何れか１項に記載のプリンタ装置を備えることを特徴とするカメラとしてもよい。
【００２２】
さらに、本発明のプリンタ装置を備える上記カメラにおいて、前記感光材料は、露光光の照射を受けて排出され、排出の途中で現像液が展開されて現像される写真フィルムを適用することができる。
【００２３】
また、請求項１０に記載の発明は、照射対象に光を照射する光源と、前記光源と前記照射対象間に設けられ、画像を表す画像データに基づいて前記照射対象に対する光の照射を制御するシャッタと、を有する記録ヘッドと、前記シャッタの温度及び前記記録ヘッド周辺の温度のうちの少なくとも１つを検出する検出手段と、前記検出手段の検出結果に基づいて、前記照射対象に照射される光量を制御する制御手段と、を備えることを特徴とするプリンタ装置である。
【００２４】
【発明の実施の形態】
以下、図面を参照して本発明の実施の形態の一例を詳細に説明する。なお、本実施の形態は、カメラに内蔵されたプリンタ装置に本発明を適用したものである。
【００２５】
図１には、本発明の実施の形態に係わるカメラ１０の外観図を示す。
【００２６】
図１に示す本実施の形態に係わるカメラ１０は、固体撮像素子を備え、この固体撮像素子上に被写体を結像させて画像データを得る電子撮像部や、電子撮像部において得られた画像データに基づく露光光を、光の照射対象であるフィルムシートの露光面に照射する露光部とで構成されている。
【００２７】
カメラ１０は、図１に示すように、本体カバー１４と、その本体カバー１４と共にカメラの外観をなす前カバー１６とを有する。
【００２８】
このカメラ１０の全面中央部には、レンズ鏡胴１８が備えられており、レンズ鏡胴１８の先端には、レンズバリア１８ａも備えられている。また、このカメラ１０の全面右側（図１上では左側）には、レリーズスイッチ１２が配置されている。このレリーズスイッチ１２の左斜め上側には、全面にプロテクタ２２が配置されたフラッシュ装置２０が備えられている。フラッシュ装置２０の左側には、フラッシュ発光時に被写体で反射して戻ってきたフラッシュ光の光量を検出するフラッシュ受光センサにフラッシュ光を導くためのフラッシュ受光窓２４、及び内蔵されたＡＥセンサに光を導くためのＡＥ受光窓２６が備えられている。
【００２９】
また、カメラ１０の上部には、現像済みのフィルムシートをカメラ１０の外部に排出するための排出口２８が設けられている。さらに、カメラ１０の上部には、図１の左側から順に、未露光フィルムシート残数等を表示するための表示部３０、電源スイッチ３２、遠近撮影切換スイッチ３４、及び明るさ補正用スイッチ３６が備えられている。
【００３０】
また、カメラ１０の下部には、このカメラ１０の、後述するＲＡＭに記録された画像データを外部に送出するためのＵＳＢ（Ｕｎｉｖｅｒｓａｌ  Ｓｅｒｉａｌ  Ｂｕｓ）ケーブルが接続されるＵＳＢ端子３８、及びＲＡＭに記録された画像データを、携帯電話を使用して外部に送信において、携帯電話との接続時に使用される携帯電話用端子４０が備えられている。
【００３１】
図２には、カメラ１０の後面の外観図を示す。
【００３２】
カメラ１０の本体カバー１４の後面には、軸４２によって回動自在に、本体カバー１４に軸支された裏蓋４４が備えられており、図２には、裏蓋４４が図示しない、本体カバー１４との係止機構により閉じられた状態にあるカメラ１０が示されている。
【００３３】
裏蓋４４の近傍（図２の右側）の本体カバー１４には、図示しない係止機構との係止を解除するための解除ボタン４６が設けられている。この裏蓋４４と係止機構との係止の解除は、解除ボタン４６を下方に押し下げることで行われる。なお、図示しないが、本体内部には、インスタント写真用のフィルムシートが積層されたフィルムパックが装填される装填室が備えられており、該フィルムパックの出し入れは、図２に示す裏蓋４４を開けて行われる。
【００３４】
また、裏蓋４４には、画像表示画面４８が備えられており、該画像表示画面４８は、電子ビューファインダとして利用される。また、画像表示画面４８の下方には、撮影後直ぐにプリントするか後述するプリントスイッチ５４の操作によってプリントを行うかを選択するプリントモード選択スイッチ５０、撮影を行う撮影モードや記憶済みの画像を表示する再生モード等のモードを選択するためのモード選択スイッチ５２、再生モードにおいて選択した画像をプリントアウトするためのプリントスイッチ５４、画像表示画面４８の表示の切り替えや再生画像の選択のための画像切替・再生画像選択スイッチ５６、画像切替・再生画像選択スイッチ５６において選択された再生画像に日付やメッセージ等を付加する際に操作されるデータ付加スイッチ５８が備えられている。
【００３５】
図３及び図４には、カメラ１０の内部に設けられた本発明の実施の形態に係わるプリンタ装置６０が示されている。
【００３６】
プリンタ装置６０は、図３及び図４に示すように、記録ヘッド７０を備えている。記録ヘッド７０は、図３に示すように、一対のガイドロッド７２、７４に案内され、図３矢印Ａ方向に移動可能に構成されている。ガイドロッド７２は、ネジ加工が施され、当該ネジの溝に記録ヘッド７０のガイドロッド支持部７０ａが嵌合されている。また、ガイドロッド７２の一端部には、ギア７２ａが設けられ、ヘッド移動モータ７６の回転軸に設けられたギア７６ａと噛み合うように構成されている。すなわち、ヘッド移動モータ７６の回転によってガイドロッド７２が回転され、ガイドロッド７２のネジ加工によって記録ヘッド７０が図Ａ矢印方向に移動される。なお、本発明の移動手段は、記録ヘッド７０を移動するためのガイドロッド７２、７４ガイドロッド支持部７０ａ、ギア７２ａ、７６ａ、及びヘッド移動モータ７６に相当する。
【００３７】
また、記録ヘッド７０は、図５に示すように、光源としてのＬＥＤ８０、導光部材８２、液晶シャッタ８４、及びレンズアレイ８６によって構成されている。ＬＥＤ８０は、導光部材８２の両側（記録ヘッド７０の移動方向と直交する方向の記録ヘッド７０の両端部）に設けられており、Ｒ（赤）、Ｇ（緑）、Ｂ（青）各色に発光するＬＥＤをそれぞれ備え、導光部材８２に向かって光を照射する。導光部材８２の露光面と反対側には、遮光部材８２ａが設けられており、ＬＥＤ８０より照射された光が露光面側にのみ射出されるようになっている。また、導光部材８２の露光面側には、液晶シャッタ８４、レンズアレイ８６が順に設けられており、導光部材８２より射出される光が液晶シャッタ８４及びレンズアレイ８６を介してフィルムシートＦに照射されるようになっている。
【００３８】
なお、光源のＬＥＤ８０、導光部材８２、及び遮光部材８２ａの代わりに、蛍光性の有機物質を発光層に用いた有機電界発光素子（所謂有機エレクトロルミネッセンス（ＥＬ））を用いるようにしてもよい。すなわち、記録ヘッド７０は、有機ＥＬ、液晶シャッタ８４、及びレンズアレイを積層した構成としてもよい。
【００３９】
また、図４に示すように、記録ヘッド７０の露光面側には、フィルムシートＦが積層されたフィルムパック８８が収納されるようになっている。フィルムパック８８は、図４に示すように、湾曲してフィルムシートＦが収納されており、記録ヘッド７０による露光が終了すると、図示しないクローク爪によって１枚ずつ図４矢印Ｂ方向に排出され、一対のローラ９０、９２の回転によってカメラ本体より排出されるようになっている。なお、フィルムシートＦは、カメラ１０からの排出の途中で現像液が展開されて現像された写真が現れるタイプの写真フィルムである。
【００４０】
また、記録ヘッド７０には、図３に示すように、カメラ本体との電気的配線のためのＦＰＣ（フレキシブルプリント基板）９４が設けられており、当該ＦＰＣ９４によってカメラ本体と電気的接続がなされる。ＦＰＣ９４には、さらに、記録ヘッド７０の周辺の雰囲気温度を検出するための温度センサ９６が設けられており、温度センサ９６によって記録ヘッド７０周辺の温度が検出されるようになっている。
【００４１】
図６は、本実施の形態のカメラ１０の内部構成図である。
【００４２】
図６に示すように、カメラ１０にはカメラ１０全体を制御する本発明の制御手段としてのシステムコントローラ１００が設けられており、システムコントローラ１００の指示により、撮像レンズ１０２を通して被写体を結像するＣＣＤ（Ｃｈａｒｇｅ  Ｃｏｕｐｌｅｄ  Ｄｅｖｉｃｅ）撮像素子１０４を駆動させることで、ＣＣＤ撮像素子１０４から被写体画像を表す画像信号の出力を行わせるＣＣＤドライバ１０６、この出力された画像信号を増幅する増幅器１０８、増幅器１０８で増幅された画像信号を画像データに変換するＡ／Ｄ変換回路１１０が備えられている。
【００４３】
また、カメラ１０には、システムコントローラ１００の指示により、Ａ／Ｄ変換回路１１０から送られた画像データを処理する画像データ処理回路１１２、画像データ処理回路１１２で処理された画像データをアナログ信号に変換するＤ／Ａ変換回路１１４、Ｄ／Ａ変換回路１１４で変換されたアナログ信号を増幅する増幅器１１６、増幅器１１６から出力されたアナログ信号を基に画像表示画面４８に画像を表示させるＬＣＤドライバ１１８も備えられている。
【００４４】
さらに、カメラ１０には、カメラ１０を起動させたときにシステムコントローラ１００によって参照される各種の調整データが記憶されているＲＯＭ１２０、レリーズスイッチ１２の押下に伴うシステムコントローラ１００からの記録指示により、画像データ処理回路１１２から得られた画像データが記憶されるＲＡＭ１２２も備えている。また、このＲＡＭ１２２には、データ付加スイッチ５８への操作により設定され、Ｉ／Ｏポートコントローラ１２４を通じて送られてきた、日付やメッセージ等を表すデータも、そのデータ付加スイッチ５８への操作が行われている際に選択されている所定の画像データと関連付けられて記憶される。なお、Ｉ／Ｏポートコントローラ１２４では、他のスイッチ操作による入力の監視も行われている。
【００４５】
加えて、カメラ１０には、システムコントローラ１００の指示により、Ｒ、Ｇ、Ｂ各色のＬＥＤ８０を発光させるＬＥＤ駆動回路１２６が備えられている。また、ＲＡＭ１２２に記憶されているデータをＲ、Ｇ、Ｂ各色毎に記憶するラインメモリ１２８、システムコントローラ１００の指示により、ラインメモリ１２８から送られるデータに基づき、フィルムシートＦに実際に露光光を照射する液晶シャッタ８４をコントロールするＬＣＤドライバ１３０も備えられている。すなわち、記録ヘッド７０は、Ｒ、Ｇ、Ｇ各色のＬＥＤ８０を発光させ、ラインメモリ１２８から送られるデータに基づいて液晶シャッタ８４をコントロールすることによって、露光／非露光部分を制御して画像に応じた光をフィルムシートＦに照射する。また、記録ヘッド７０は、モータドライバ１３２のコントロールによりヘッド移動モータ７６が駆動されて図３矢印Ａ方向に移動されることにより露光面への走査露光がなされる。
【００４６】
また、モータドライバ１３４のコントロールによるフィルムシート展開モータ１３６の駆動により、図示しないクローク爪を作動させると共に一対のローラ９０、９２を駆動させて、露光されたフィルムシートＦをフィルムパック８８より排出すると共に、一対のローラ９０、９２の回転によりカメラ１０の外部に排出する。
【００４７】
さらに、記録ヘッド７０の周辺の温度が温度センサ９６によって検出されてシステムコントローラ１００に出力されるようになっており、システムコントローラ１００は、温度に応じた液晶シャッタ８４の応答速度変化による露光量変化を算出して記録ヘッド７０の移動量をモータドライバ１３２に指示する。あるいは、算出した露光量変化をＬＥＤドライバ１２６に指示する。なお、温度に応じた液晶シャッタ８４の応答速度と露光量の関係は、予めＲＯＭ１２０に記憶しておき、システムコントローラ１００は、ＲＯＭ１２０より前記応答速度と露光量の関係を読み出して、適正な露光量となる記録ヘッド７０の移動量又はＬＥＤ８０の発光量を算出する。また、温度センサ９６は本発明の検出手段に相当する。
【００４８】
続いて、上述のように構成されたカメラ１０の動作について図７のフローチャートを参照して説明する。
【００４９】
図７は、図１に示す電源スイッチ３２をオンしたときに起動される‘電源オン’プログラムを示すフローチャートである。なお、オートフォーカス機能、自動露出機能等については省略して説明する。
【００５０】
ステップＳ１０では、電源スイッチ３２がオンされると、システムのリセットとレンズバリア１８ａの解放が行われる。
【００５１】
ステップＳ１２では、現在選択されているモードが、撮影モードか否か判定される。該判定が肯定されるとステップＳ１４へ移行して、撮影モードが起動される。
【００５２】
ここで、撮影モードについて図８のフローチャートを参照して説明する。
【００５３】
ステップＳ２０では、撮影モードが起動されると、ＣＣＤ撮像素子１０４から出力される画像データが表す画像の、画像表示画面４８への表示が行われる。
【００５４】
続いてステップＳ２２では、現在のモードが撮影モードか否か判定される。該判定が否定された場合には、このサブルーチンを抜けて‘電源オン’プログラムのステップＳ１２へ戻る。
【００５５】
ステップＳ２２の判定が肯定された場合には、ステップＳ２４へ移行して、図２に示す画像切替・再生画像選択スイッチ５６がオンされているか否か判定される。該判定が肯定された場合には、ステップＳ２６へ移行して、ＣＣＤ撮像素子１０４からの画像表示及び撮影可能枚数などのシステム情報表示のうち、現在表示されていない方の表示を行う、画像表示の切替が行われ、ステップＳ２８へ移行する。
【００５６】
一方、ステップＳ２４の判定が否定された場合には、そのままステップＳ２８へ移行して、図１に示すレリーズスイッチ１２がオンされたか否か判定される。該判定が肯定された場合には、ステップＳ３０へ移行して、現在、ＣＣＤ撮像素子１０４によって撮像されている画像を表す画像データがＲＡＭ１２２に記憶され、ステップＳ３２へ移行する。
【００５７】
また、ステップＳ２８の判定が否定、すなわちレリーズスイッチ１２がオンされていない場合には、再びステップＳ２２へ戻って上述の処理が繰り返される。
【００５８】
ステップＳ３２では、図２に示すプリントモード選択スイッチ５０の操作によって撮影直後にプリントを行うプリントモードが予め設定されているか否か判定される。該判定が否定された場合には、このサブルーチンを抜けて‘電源オン’プログラムのステップＳ３４へ戻る。
【００５９】
ステップＳ３２の判定が肯定された場合には、ステップＳ３４へ移行して、後述する印刷処理が行われる。
【００６０】
ここで、図７に示す‘電源オン’プログラムのステップＳ１２に戻って説明する。
【００６１】
ステップＳ１２の判定が否定、すなわち、モードが撮影モードでないと判定された場合には、ステップＳ１６へ移行して、再生モードが起動される。
【００６２】
ここで、再生モードについて図９のフローチャートを参照して説明する。
【００６３】
ステップＳ４０では、現在のモードが再生モードか否か判定される。該判定が否定された場合には、‘電源オン’プログラムのステップＳ１２へ戻る。
【００６４】
ステップＳ４０の判定が肯定された場合には、ステップＳ４２へ移行して、既に記憶済みの画像データの、ＲＡＭ１２２上のアドレスを表すポインタにより、現在、指定されているアドレスに記憶された画像が画像表示画面４８に再生表示され、ステップＳ４４へ移行する。
【００６５】
ステップＳ４４では、画像切替・再生画像選択スイッチ５６による再生画像の選択が行われているか否か判定される。該判定が肯定された場合には、ステップＳ４６へ移行して、他の記憶済み画像が再生表示されるようにポインタのインクリメントが行われ、ステップＳ４２へ戻る。
【００６６】
一方、ステップＳ４４の判定が否定された場合には、ステップＳ４８へ移行して、図２に示すプリントスイッチ５４がオンされているか否か判定される。該判定が否定された場合には、ステップＳ４０に戻り、該判定が肯定された場合には、ステップＳ５０へ移行して、後述する印刷処理が行われて、このサブルーチンを抜けて‘電源オン’プログラムのステップＳ１２へ戻る。
【００６７】
次に、上述した印刷処理について図１０のフローチャートを参照して説明する。
【００６８】
印刷処理では、まずステップＳ６０で温度センサ９６の検出結果が常温（例えば２０℃〜２５℃）より高温か否か判定される。該判定が肯定された場合には、ステップＳ６２へ移行して予め定めた温度に応じた液晶シャッタ８４の応答速度と露光量（ＬＥＤ光量）から適切な記録ヘッド移動量を算出して、ステップＳ６８へ移行する。
【００６９】
ステップＳ６０の判定が否定された場合には、ステップＳ６４へ移行して、温度センサ８４の検出結果が常温より低温か否か判定される。該判定が否定された場合には、ステップＳ６８へ移行し、該判定が肯定された場合には、ステップＳ６６へ移行する。ステップＳ６６では、予め定めた温度に応じた液晶シャッタの応答速度とＬＥＤ光量から適切な光量が算出される。
【００７０】
ステップＳ６８では、ＬＥＤ露光及び記録ヘッド移動が開始されてプリント動作がなされる。すなわち、ＬＥＤ８０が発光されると共に、記録ヘッド７０が図３矢印Ａ方向に移動されることによってフィルムシートＦが露光される。そして、露光終了すると、フィルムシートＦがカメラ１０の外部に排出される。なお、プリント動作において、ＬＥＤ８０の発光光量は、低温時以外は予め定められた光量で発光制御され、低温時にはステップＳ６６で算出した算出結果に基づいて発光制御される。そして、記録ヘッド７０の移動量は、高温時以外は予め定められた移動量で移動制御され、高温時にはステップＳ６２で算出した算出結果に基づいて記録ヘッド７０の移動が制御される。
【００７１】
ステップＳ７０では、プリントが終了したか否か判定され、プリントが終了するまで待機して印刷処理が終了する。
【００７２】
なお、本実施の形態では、各色ＬＥＤ８０によるフィルムシートＦの露光は、記録ヘッド７０の各位置において、Ｒ、Ｇ、Ｂを順に発光させて、順次記録ヘッド７０を移動することによって行うが、各色Ｒ、Ｇ、Ｂについてそれぞれ記録ヘッド７０を走査して露光するようにしてもよい。
【００７３】
ところで、液晶シャッタ８４は、図１１に示すように、温度変化によって応答速度が異なり、露光に必要とされる面積（液晶シャッタ８４の開口面積）まで動作する時間が変化し、露光に必要とされる面積となるまでの時間は、低温時には常温時に必要なｔ時間に対してｔ’’時間（ｔ＜ｔ’’）の時間が必要とされ、高温時にはｔ’時間（ｔ＞ｔ’）の時間が必要となる。すなわち、低温時には、液晶シャッタ８４の応答速度が低下し、高温時には、液晶シャッタ８４の応答速度が向上する。従って、液晶シャッタの開口面積と時間の特性における時間の積分値である光量が温度によって変化してしまう。よって、図１２に示すように、Ｒ、Ｇ、Ｂ各色毎に所定のタイミングで液晶シャッタ８４が開口する場合を考えると、高温時の方が各色露光間のインターバルを長くとれる。従って、高温時には前記インターバルの長くなった分、記録ヘッド７０の移動速度を高速にすることが可能である。
【００７４】
そこで、本実施の形態では、上述の印刷処理で説明したように、記録ヘッド（液晶シャッタ８４）７０の近傍の温度を温度センサ９６によって検出し、検出結果が常温より高温の場合には、温度に応じた液晶シャッタの応答速度とＬＥＤ光量の関係から記録ヘッド７０の移動量を算出して、記録ヘッド７０の移動速度を速くすることにより、適切な露光量を得るようにしている。これによって、適切な露光量で露光ができると共に、高温時にはプリント処理を高速に行うことができる。また、常温より低温の場合には、温度に応じた液晶シャッタの応答速度とＬＥＤ光量の関係から適切な光量を算出してＬＥＤ８０による発光光量を増加させることにより、適切な露光量を得るようにしている。これによって、プリント速度を落とすことなく、適切な光量で露光できる。
【００７５】
なお、上記の実施の形態では、高温時に記録ヘッド７０の移動速度を速くし、低温時にＬＥＤ８０の発光光量を増加させることによって、適切な光量を得るようにしたが、これに限るものではなく、例えば、記録ヘッド７０の移動速度のみを制御して低温と高温とで変えるようにしてもよいし、ＬＥＤ８０の発光光量のみを制御して、低温と高温時とで変えるようにしてもよい。
【００７６】
すなわち、記録ヘッド７０の移動速度のみを制御する場合には、各色間のインターバルＴを一定（各色間で必要となる所定時間）として、常温時（図１３（Ａ）参照）に対して、図１３（Ｂ）に示すように、高温時の移動速度を速くして露光時間を短くし（高温時の露光時間ｔ１：ｔ０＞ｔ１）、図１３（Ｃ）に示すように、低温時の移動速度を遅くして露光時間を長くする（低温時の露光時間ｔ２：ｔ０＜ｔ２）ことによって、適切な露光量を得ることができる。この場合には、高温時にプリント処理を高速に行うことができると共に、ＬＥＤ８０は安定した一定光量Ｉ０で発光すればよいので、ＬＥＤ８０を高寿命化することができる。
【００７７】
また、ＬＥＤ８０の発光光量のみを制御する場合には、図１３（Ｄ）に示すように、高温時のＬＥＤ８０の発光光量を低くし（高温時の光量Ｉ１：Ｉ０＞Ｉ１）、図１３（Ｅ）に示すように、低温時のＬＥＤ８０の発光光量を高くする（低温時の光量Ｉ２：Ｉ０＜Ｉ２）ことによって、適切な露光量を得ることができる。この場合には、温度に関係なく撮影時間を一定にすることができる。
【００７８】
また、このように、移動速度制御と光量制御では、各色の液晶シャッタ８４による露光時間が異なるので、１つの画素について複数色を順次露光する場合には、異なる色の液晶シャッタ８４による露光時間を設定する設定手段を備えるようにして、記録ヘッド７０の移動とＬＥＤ８０の発光光量の制御を選択的に行うようにしてもよい。
【００７９】
なお、上記の実施の形態では、カメラ１０に内蔵したプリンタ装置に本発明を適用するようにしたが、これに限るものではなく、例えば、ファクシミリやコピーなどのプリンタ装置に適用するようにしてもよい。
【００８０】
また、上記の実施の形態では、温度センサ９６を記録ヘッド７０近傍のＦＰＣ９４に設けて、間接的に液晶シャッタ８４の温度を検出するようにしたが、これに限るものではなく、記録ヘッド７０上等の液晶シャッタ８４の温度を検出できる場所ならばどこに配置してもよく、間接的に液晶シャッタ８４の温度を検出する位置に配置してもよいし、直接液晶シャッタ８４の温度を検出する位置に配置してもよい。例えば、温度センサ９６は、図１４に示すように、記録ヘッド７０上に配置して記録ヘッド７０の温度や記録ヘッド周辺の温度等の液晶シャッタ８４周辺の温度を検出することにより液晶シャッタ８４の温度を間接的に検出するようにしてもよいし、図１５に示す位置のように、プリンタ装置６０の本体内部に設けて、間接的に液晶シャッタ８４の温度を検出するようにしてもよい。また、図１６に示すように、液晶シャッタ８４の温度を直接検出するようにしてもよい。図１６では、液晶シャッタ８４の温度を直接検出するために、温度センサ９６は、センサ部９６ａと熱伝導率の高い材料からなるフレキシブルケーブル９６ｂで構成され、液晶シャッタ８４の温度がフレキシブルケーブル９６ｂを介してセンサ部９６ａで直接検出される。これによって、液晶シャッタ８４の温度を直接検出することが可能となる。また、液晶シャッタ８４の側面（図１６に示すＬＥＤ８０が配置される面）の位置に温度センサ９６を直接設けて液晶シャッタ８４の温度を直接検出するようにしてもよい。なお、温度センサの上述の各配置位置に応じて、上述のステップＳ６０、Ｓ６２における常温の値を設定することによって、上記実施の形態と同様に、適切な露光量で露光することが可能となる。
【００８１】
尚、上述の実施形態においては、シャッタとして液晶シャッタを用いる構成を例に本発明を説明した。しかし、本発明は当該構成に限定されるものではなく、シャッタとしては、周知のあるいは今後開発される任意のシャッタが適用可能である。また、本発明を、例えば反射ミラーと一体となった有機ＥＬ素子等を用いて光の照射を選択的に行うことにより、照射対象の露光／非露光を制御する構成とすることも可能である。
【００８２】
【発明の効果】
以上説明したように本発明によれば、記録ヘッド周辺の温度を検出して、検出結果に基づいて、光源より照射される光の光量及び記録ヘッドと光の照射対象（例えば感光材料）とを相対的に移動する移動手段の移動の少なくとも一方を制御することにより、照射対象に照射される光の光量を制御することができるので、適正な露光量で露光することができる、という効果がある。
【図面の簡単な説明】
【図１】本発明の実施の形態に係わるカメラの外観を示す斜視図である。
【図２】本発明の実施の形態に係わるカメラの後面の外観を示す斜視図である。
【図３】本発明の実施の形態に係わるカメラに内蔵されたプリンタ装置を示す斜視図である。
【図４】本発明の実施の形態に係わるカメラに内蔵されたプリンタ装置を示す断面斜視図である。
【図５】記録ヘッドの構成を示す模式図である。
【図６】本発明の実施の形態に係わるカメラの内部構成を示すブロック図である。
【図７】本発明の実施の形態に係わるカメラの動作の流れを示すフローチャートである。
【図８】撮影モードのサブルーチンを示すフローチャートである。
【図９】再生モードのサブルーチンを示すフローチャートである。
【図１０】印刷処理のサブルーチンを示すフローチャートである。
【図１１】液晶シャッタの温度特性を示すグラフである。
【図１２】液晶シャッタの動作タイミングを示すタイミングチャートである。
【図１３】記録ヘッド移動速度のみ制御した時と、ＬＥＤ光量のみ制御した時の液晶シャッタの動作タイミングを示すタイミングチャートである。
【図１４】温度センサを記録ヘッド上に配置した例を示す図である。
【図１５】温度センサのその他の配置例を示す図である。
【図１６】液晶シャッタの温度を直接検出する温度センサの例を示す図である。
【符号の説明】
１０    カメラ
７０    記録ヘッド
７２、７４    ガイドロッド
７２ａ  ギア
７６    ヘッド移動モータ
７６ａ  ギア
８０    ＬＥＤ
８４    液晶シャッタ
９６    温度センサ
１００    システムコントローラ
１２６    ＬＥＤドライバ
１３０    ＬＣＤドライバ
１３２    モータドライバ
Ｆ      フィルムシート
【図１】
2004181930.tif 000003
【図２】
2004181930.tif 000004
【図３】
2004181930.tif 000005
【図４】
2004181930.tif 000006
【図５】
2004181930.tif 000007
【図６】
2004181930.tif 000008
【図７】
2004181930.tif 000009
【図８】
2004181930.tif 000010
【図９】
2004181930.tif 000011
【図１０】
2004181930.tif 000012
【図１１】
2004181930.tif 000013
【図１２】
2004181930.tif 000014
【図１３】
2004181930.tif 000015
【図１４】
2004181930.tif 000016
【図１５】
2004181930.tif 000017
【図１６】
2004181930.tif 000018